(57)【要約】【課題】  不当な買占め及び転売を目的とする悪意のチケット購入申込み者を完全に排除可能なチケット予約システムを提供すること。【解決手段】  各購入者の端末５からチケット確保要求を受付けるチケット予約受付装置１は、各購入者のチケット購入履歴を格納する。そして、購入者の端末５からチケット確保要求を受取ると、この購入者のチケット購入履歴を問う質問を返信する。購入者がこの質問に無事回答できると、この購入者のために確保されたチケットのチケット識別子を購入者の端末５へ送信する。【選択図】        図１
2005050092.tif 000002
【特許請求の範囲】
【請求項１】
チケットの購入者を一意に識別する購入者識別子を購入者のチケット購入履歴と関連付けた購入履歴データベースを格納すると共に、チケットを一意に識別するチケット識別子を、このチケットを確保した購入者の購入者識別子と関連付けるチケット確保者データベースを格納した記憶手段と、
購入者識別子を含むチケット確保要求を受信する要求受信手段と、
当該受信されたチケット確保要求に含まれる購入者識別子と対応付けられたチケット購入履歴を前記購入履歴データベースから読み出し、このチケット購入履歴に基づいて本人確認質問とその正解とを作成する作成手段と、
当該作成された本人確認質問とこの質問への回答を促すメッセージとを送信する送信手段と、
当該送信された本人確認質問に対する回答を受信する回答受信手段と、
当該受信された回答と前記作成手段が作成した正解との一致度合いが所定の範囲にあるとき、前記チケット確保要求に含まれる購入者識別子を前記チケット識別子に関連付けて前記チケット確保者データベースに格納する登録手段と、
を備えるチケット予約受付装置。
【請求項２】
請求項１記載のチケット予約受付装置において、
前記送信手段は、
前記購入者識別子が関連付けられたチケット識別子を前記チケット確保要求の発信元へ送信する、
チケット予約受付装置。
【請求項３】
請求項２記載のチケット予約受付装置において、
前記登録手段は、
前記生成された本人確認質問とその正解とを前記チケット識別子と関連付けて前記記憶手段に格納し、
前記要求受信手段は、
チケット識別子を含む質問引渡要求を受信し、
前記送信手段は、
当該質問引渡要求に含まれるチケット識別子と関連付けて前記記憶手段に格納された本人確認質問とその正解とを前記質問引渡要求の発信元へ送信する、
チケット予約受付装置。
【請求項４】
請求項１乃至３記載のチケット予約受付装置において、
前記確保されたチケットのチケット購入履歴を前記購入履歴データベースへ新たに追加する履歴更新手段を更に備えた、
チケット予約受付装置。
【請求項５】
チケットを一意に識別するチケット識別子を入力するチケット識別子入力手段と、
当該入力されたチケット識別子を含む質問引渡要求を送信する送信手段と、
前記質問引渡要求に含まれるチケット識別子と対応する本人確認質問とその正解とを受信する受信手段と、
当該受信された質問とこの質問への回答を促すメッセージとを出力する質問出力手段と、
当該出力された質問への回答を入力する回答入力手段と、
当該入力された回答と前記受信した正解との一致度合いが所定の範囲にあるとき、前記入力されたチケット識別子と対応するチケットを出力するチケット出力手段と、
を備えるチケット発券装置。
【請求項６】
チケットの購入者の端末が、購入者識別子を含むチケット確保要求をチケット予約受付装置へ送信する第１の過程と、
前記チケット予約受付装置が、購入者識別子とチケット購入履歴とを関連付けて格納している自らの記憶手段から、前記チケット確保要求に含まれる購入者識別子と対応付けられたチケット購入履歴を読み出す第２の過程と、
前記チケット予約受付装置が、当該読み出したチケット購入履歴に基づいて本人確認質問とその正解とを作成し、当該作成した本人確認質問とこの質問への回答を促すメッセージとを前記購入者の端末へ送信する第３の過程と、
前記購入者の端末が、前記チケット予約受付装置から受信した本人確認質問に対する回答を返信する第４の過程と、
前記チケット予約受付装置が、前記購入者の端末から受信した回答と前記生成した正解との一致度合いが所定の範囲にあると判断したとき、前記チケット確保要求に含まれる購入者識別子を当該購入者に確保させるチケットのチケット識別子に関連付けて自らの記憶手段に格納する第５の過程と、
前記チケット予約受付装置が、前記チケット識別子を前記購入者の端末へ送信する第６の過程と、
を有するチケット予約方法。
【請求項７】
コンピュータ装置に、
チケットの購入者を一意に識別する購入者識別子を含むチケット確保要求を受信する要求受信処理と、
購入者識別子を購入者のチケット購入履歴と関連付けて格納した自らの記憶手段から、前記受信されたチケット確保要求に含まれる購入者識別子と対応付けられたチケット購入履歴を読み出し、このチケット購入履歴に基づいて本人確認質問とその正解とを作成する作成処理と、
当該作成された本人確認質問とこの質問への回答を促すメッセージとを送信する送信処理と、
当該送信された本人確認質問に対する回答を受信する回答受信処理と、
当該受信された回答と前記作成した正解との一致度合いが所定の範囲にあるとき、前記チケット確保要求に含まれる購入者識別子を、チケットを一意に識別するチケット識別子に関連付けて自らの記憶手段へ格納する登録処理と、
を実行させるチケット予約受付プログラム。
【発明の詳細な説明】
【技術分野】
【０００１】
本発明は、チケット予約方法に係り、特に、営利目的の悪意のチケット購入者を排除するチケット予約方法に関する。
【背景技術】
【０００２】
著名アーティストのコンサートやプロスポーツ競技といったイベントへの参加を希望する者は、チケット予約システムを利用してチケットを購入することが一般的になってきている。このシステムを利用したチケット購入手順を示せば以下のようになる。まず、チケットの購入を希望する者は、各イベントの興行者が運営するチケット予約サイトへアクセスして所定の手続きを行う。その後、クレジットカード決済や振込みなどにより代金を決済する。代金の決済が興行者側で確認されると、購入希望者の自宅へチケットが郵送されてくる。このようにチケット予約手続きをオンライン化することで、チケットの発売日に発売場所へ出向くことができないような者でも、所望のチケットを入手することができる。
【０００３】
しかしながら、人気のあるイベントの場合は当然ながらチケットの発行枚数よりも入手希望者の方が多いため、特定の個人になりすましてチケット購入サイトへアクセスし、この種のイベントのチケットを買占めて高値で転売するといった悪意の業者が横行している。したがって、たとえば特許文献１乃４に開示されたような成りすまし防止のための技術をチケット予約システムに応用することで、上述したような悪意の業者を排除するといった試みがこれまでなされてきた。
【０００４】
特許文献１は、ユーザのプライバシー保護に配慮した行政ドキュメントの処理システムを開示している。同文件によると、このシステムは、行政機関に設置された端末装置が、自らが発行した行政ドキュメントに、暗号化、カプセル化という一連の処理を施してＷＥＢサーバへアップロードする。一方、この行政ドキュメントを閲覧するユーザは、アップロードされたデータをＷＥＢサーバから取得すると共に、カプセル化の解除および復号化を施すための複数の情報をこの取得したデータへ入力して元の行政ドキュメントを生成する。
【０００５】
特許文献２も、特許文献１と同様に、ユーザのプライバシー保護に配慮した行政ドキュメントの処理システムを開示している。ただし、このシステムでは、行政機関に設置された端末装置が、暗号化およびカプセル化を施した行政ドキュメントをＷＥＢサーバへアップロードする処理と、この行政ドキュメントを電子メールによってユーザの端末へ送信する処理とを、所定のルールにしたがって選択的に実行する。
【０００６】
特許文献３は、キーボード操作の癖を利用することで、利用者が予め登録された本人であるかどうかを識別する個人識別装置を開示している。同文件によると、この装置のマウスは、クリック動作による手の動きの特徴量を検出する。そして、この検出された特徴量と予め個人辞書として登録されている特徴量とが一致したときに、同装置に格納されているファイルのオープンなどが許可される。
【０００７】
特許文献４は、双方向テレビジョンシステムの視聴者の認証手続きを簡素化する技術を開示している。同文件によると、この双方向テレビジョンシステムは、データ放送を配信する放送局と、視聴者の世帯に設置されたテレビジョン受信機と、この視聴者の認証作業を行う応答サーバとを備えている。同文件に記載されている視聴者の認証手順は以下のようになっている。視聴者を認証する際は、まず、機体ＩＤ、発信電話番号、視聴者から入力された個人ＩＤといったデータがテレビジョン受信機から応答サーバへ送信される。すると、応答サーバは送信されてきた機体ＩＤと発信電話番号とによりまずその視聴者の世帯認証を行う。続いて、送信されてきた個人ＩＤによりその視聴者個人の認証を行う。このような段階的な認証作業を行うことで、認証手続きのための視聴者のデータ入力作業を簡素化する。
【特許文献１】特開２００２−３２５２３
【特許文献２】特開２００２−３２５２８
【特許文献３】特開２００２―２７８９３８
【特許文献４】特開２００１―１４５０８６
【発明の開示】
【発明が解決しようとする課題】
【０００８】
ところで、上述した各特許文献に開示されているような仕組みを既存のチケット予約システムに取り入れたとすれば確かに不当な買占めを排除することが可能ではあるものの、極めて複雑かつ大掛かりなシステム構成とならざるを得ず、その運営主体となるイベント興行者に高額な運営コストを強いることになる。
本発明は、このような問題を解決すべく案出されたものであり、比較的低廉なコストでの運用ができ、しかも不当な買占め及び転売を目的とする悪意のチケット購入申込み者を排除可能なチケット予約システムを提供することを目的とする。
【課題を解決するための手段】
【０００９】
本発明の好適な態様であるチケット予約受付装置は、チケットの購入者を一意に識別する購入者識別子を購入者のチケット購入履歴と関連付けた購入履歴データベースを格納すると共に、チケットを一意に識別するチケット識別子を、このチケットを確保した購入者の購入者識別子と関連付けたチケット確保者データベースを格納した記憶手段と、購入者識別子を含むチケット確保要求を受信する要求受信手段と、当該受信されたチケット確保要求に含まれる購入者識別子と対応付けられたチケット購入履歴を前記購入履歴データベースから読み出し、このチケット購入履歴に基づいて本人確認質問とその正解とを作成する作成手段と、当該作成された本人確認質問とこの質問への回答を促すメッセージとを送信する送信手段と、当該送信された本人確認質問に対する回答を受信する回答受信手段と、当該受信された回答と前記作成手段が作成した正解との一致度合いが所定の範囲にあるとき、前記チケット確保要求に含まれる購入者識別子を前記チケット識別子に関連付けて前記チケット確保者データベースに格納する登録手段とを備える。
この装置によれば、チケットの確保を希望する購入者に対して、この購入者の過去のチケット購入履歴に関する質問文を送信し、この質問文に無事回答できたことを条件としてチケットを確保させる。このような購入者本人しかわかり得ない質問を用いて認証をおこなうことで、他人に成りすましてチケットを買占める悪意者を排除することができる。
【００１０】
この態様において、前記送信手段は、前記購入者識別子が関連付けられたチケット識別子を前記チケット確保要求の発信元へ送信するようにしてもよい。
このようにすれば、チケットの交付を受ける際に必要となるチケット識別子をそのチケットを確保した購入者に了解させることができる。
【００１１】
この態様において、前記登録手段は、前記生成された本人確認質問とその正解とを前記チケット識別子と関連付けて前記記憶手段に格納し、前記要求受信手段は、チケット識別子を含む質問引渡要求を受信し、前記送信手段は、当該質問引渡要求に含まれるチケット識別子と関連付けて前記記憶手段に格納された本人確認質問とその正解とを前記質問引渡要求の発信元へ送信するようにしてもよい。
このようにすれば、各購入者がチケットを確保する際に回答した本人確認質問の内容を、そのチケットを発券するチケット発券装置へ伝達することができる。
【００１２】
上述した各態様において、前記確保されたチケットのチケット購入履歴を前記購入履歴データベースへ新たに追加する履歴更新手段を更に備えてもよい。
このようにすれば、本人確認質問文に無事回答できた購入者のチケット購入履歴を新たに更新することができる。
【００１３】
本発明の別の好適な態様であるチケット発券装置は、チケットを一意に識別するチケット識別子を入力するチケット識別子入力手段と、当該入力されたチケット識別子を含む質問引渡要求を送信する送信手段と、前記質問引渡要求に含まれるチケット識別子と対応する本人確認質問とその正解とを受信する受信手段と、当該受信された質問とこの質問への回答を促すメッセージとを出力する質問出力手段と、当該出力された質問への回答を入力する回答入力手段と、当該入力された回答と前記受信した正解との一致度合いが所定の範囲にあるとき、前記入力されたチケット識別子と対応するチケットを出力するチケット出力手段とを備える。
この装置によれば、各購入者がチケットを確保する際に回答した本人確認質問と同じ内容の質問をチケット発券時にも再度提示し、この質問に無事回答できたことを条件としてチケットを発券する。このように、チケットの発券時にも購入者本人しかわかり得ない質問を用いて再度認証をおこなうことで、他人に成りすましてチケットを買占める悪意者をより確実に排除することができる。
【００１４】
この発明の別の好適な態様であるチケット予約方法は、チケットの購入者の端末が、購入者識別子を含むチケット確保要求をチケット予約受付装置へ送信する第１の過程と、前記チケット予約受付装置が、購入者識別子とチケット購入履歴とを各々関連付けて格納している自らの記憶手段から、前記チケット確保要求に含まれる購入者識別子と対応付けられたチケット購入履歴を読み出す第２の過程と、前記チケット予約受付装置が、当該読み出したチケット購入履歴に基づいて本人確認質問とその正解とを作成し、作成した本人確認質問とこの質問への回答を促すメッセージとを前記購入者の端末へ送信する第３の過程と、前記購入者の端末が、前記チケット予約受付装置から受信した本人確認質問に対する回答を返信する第４の過程と、前記チケット予約受付装置が、前記購入者の端末から受信した回答と前記生成した正解との一致度合いが所定の範囲にあると判断したとき、前記チケット確保要求に含まれる購入者識別子を当該購入者に確保させるチケットのチケット識別子に関連付けて自らの記憶手段に記憶する第５の過程と、前記チケット予約受付装置が、前記チケット識別子を前記購入者の端末へ送信する第６の過程とを有する。
【００１５】
本発明の別の好適な態様であるチケット予約受付プログラムは、コンピュータ装置に、チケットの購入者を一意に識別する購入者識別子を含むチケット確保要求を受信する要求受信処理と、購入者識別子を購入者のチケット購入履歴と関連付けて格納した自らの記憶手段から、前記受信されたチケット確保要求に含まれる購入者識別子と対応付けられたチケット購入履歴を読み出し、このチケット購入履歴に基づいて本人確認質問とその正解とを作成する作成処理と、当該作成された本人確認質問とこの質問への回答を促すメッセージとを送信する送信処理と、当該送信された本人確認質問に対する回答を受信する回答受信処理と、当該受信された回答と前記作成した正解との一致度合いが所定の範囲にあるとき、前記チケット確保要求に含まれる購入者識別子を、チケットを一意に識別するチケット識別子に関連付けて自らの記憶手段へ格納する登録処理とを実行させる。
【発明を実施するための最良の形態】
【００１６】
（Ａ：第１実施形態）
以下、図面を参照しつつ、本発明の実施形態にかかるチケット予約システムについて説明する。
本システムの特徴は、各購入者からのチケット確保要求を受け付けるチケット予約受付装置が、本ステムを利用して過去にチケットを購入したことのある購入者に対してその購入者のチケット購入履歴に関する質問文を提示し、この質問文に無事回答できたときに同一の購入者であると認証するようにした点である。
なお、本実施形態にいう「購入者」とは、本システムを利用してチケットを購入する資格が与えられている者、具体的には、前もって本システムの登録サイトへアクセスして登録手続きを行い、購入者識別子を取得している者を意味する。この購入者識別子とは、各購入者を一意に識別するために割り振られる個別のユーザＩＤである。また、本実施形態における「チケットの確保」とは、特定のチケットの交付を受ける権利を取得することを意味する。
【００１７】
（１：チケット予約システムの全体構成）
図１は、本実施形態に係るチケット予約システムの全体構成図である。本システムは、チケット予約受付装置１と、チケット発券装置３と、購入者端末５とをインターネット網により接続して構成される。
チケット予約受付装置１は、各購入者からのチケット確保要求を受付け、その申込状況を管理する。ここで、本実施形態におけるチケット予約受付装置１は、コンサートやライブといった音楽関連イベントの興行者により運営されており、これら音楽関連イベントのチケット確保要求を主に受付ける。
【００１８】
一方、チケット発券装置３は、チケット予約手続きを行った購入者に対してチケットを交付する。このチケット発券装置３は各イベント会場に設置されることが望ましい。
購入者端末５は、各購入者の所持する携帯電話である。購入者はこの購入者端末５からチケット予約受付装置１へアクセスしてチケット予約手続きを行うことで、所望のイベントのチケットを購入できるようになっている。
ここで、購入者端末５は、インターネット網の伝送プロトコルとは異なる伝送プロトコルに従ってデータ通信を行うため、インターネット網へ直接アクセスすることはできない。従って、本実施形態では購入者端末５とインターネット網との間に図示しない基地局とゲートウェイとを介在させている。この基地局は、自らの管轄する無線ゾーンに在圏した購入者端末５と無線交信し、在圏する購入者端末５から受信したパケットデータをゲートウェイに引渡すと共にゲートウェイから引渡されたパケットデータを購入者端末５へ送信する役割を果たす。またゲートウェイは購入者端末５が従う伝送プロトコルとインターネット網が従う伝送プロトコルとを相互変換する役割を果たす。
【００１９】
（２：チケット予約受付装置の構成）
図２は、チケット予約受付装置１のハードウェア構成を示すブロック図である。このチケット予約受付装置１は、制御部１１、通信部１２、表示部１３、入力部１４、揮発性記憶部１５、及び不揮発性記憶部１６を備えている。
制御部１１は、例えばＣＰＵ（central processing unit）である。通信部１２は、例えば通信インターフェースである。表示部１３は、例えばコンピュータディスプレイである。入力部１４は、例えばキーボード及びマウスである。
【００２０】
揮発性記憶部１５は、例えばＲＡＭ（random access memory）であり、制御部１１のワークエリアとして利用される。不揮発性記憶部１６は、例えばハードディスクであり、購入履歴データベース１６ａ、チケット確保者データベース１６ｂ、質問文雛形ｃ、及びアンケート定型文ｄを格納している。
【００２１】
図３に購入履歴データベース１６ａのデータ構造を示す。同データベースは、各々が一人の購入者と対応する複数のレコードの集合体である。ここで、一人の購入者に対応した１つのレコードは、「購入者」と「購入履歴」の各フィールドを有している。「購入者」のフィールドには、各購入者を一意に識別する購入者識別子が格納される。「購入履歴」のフィールドには、これら購入者が過去に本システムを利用して購入したチケットに関する購入履歴が格納される。この購入履歴は、本システムを利用してチケットを購入したイベントのイベント名、イベント開催日、イベント開催場所といったデータの組である。
【００２２】
図４にチケット確保者データベース１６ｂのデータ構造を示す。このデータベースはチケット購入対象となるイベントの種類に応じて複数に区分されており、この区分された各データベースの各々は各イベントを一意に識別するイベント識別子と関連付けられている。同データベースは、各々一つのチケットに対応する複数のレコードの集合体である。ここで、一つのチケットに対応した１つのレコードは、「チケット番号」、「チケット確保者」、「質問」、「正解」の各フィールドを有している。
「チケット番号」のフィールドには、各チケットを一意に識別するチケット識別子が格納されている。このチケット識別子は、イベントの種別を示すアルファベット２桁と、００００１から順番に割り振られた５桁の数字とからなる。例えば、イベントの興行者から「ＡＡ」という種別識別子と対応するイベントのチケットが５０００枚提供されるということであれば、このイベントのチケット確保者データベース１６ｂの「チケット番号」のフィールドには、「ＡＡ００００１」から「ＡＡ０５０００」までの各チケット識別子が予め格納される。
「チケット確保者」のフィールドには、チケットを確保できた購入者の購入者識別子を格納する。「質問」のフィールドには、１乃至４の各選択肢番号と関連付けられた購入履歴がセットとして格納される。これら４つの購入履歴のうち２つは、購入履歴データベース１６ａの「購入履歴」のフィールドから読み出される真正な購入履歴である。一方、残りの２つは制御部１１が生成する虚偽の購入履歴である。「正解」のフィールドには、真正な購入履歴を示す選択肢番号が格納される。
【００２３】
不揮発性記憶部１６に格納されている質問文雛形ｃは、本システムを利用したことのある購入者に向けた本人確認質問文を生成するための雛形である。この本人確認質問文の具体的内容については後述する。同記憶部１６に格納されているアンケート定型文ｄは、本システムを初めて利用する購入者向けに予め作成された初回アンケートの質問文とその回答選択肢のセットである。この初回アンケートの具体的内容については後述する。
【００２４】
また、不揮発性記憶部１６には、ＯＳ（operating system）ソフトウェアのほかに、図示しないチケット予約受付プログラムを格納しており、このプログラムが揮発性記憶部１５へ読み出されて実行されると、制御部１１へ以下に示す機能が付与される。
ａ 質問文作成機能
この機能は、購入者端末５からチケット確保要求を受け付け、本人確認質問画面を生成して購入者端末５へ送信する機能である。
ｂ 登録機能
この機能は、本人確認質問画面に表示された質問に無事回答できた購入者の購入者識別子をチケット確保者データベース１６ｂに登録する機能である。
ｃ 通知機能
この機能は、チケット発券装置３からチケット識別子を含む質問引渡要求を受け付け、このチケット識別子と対応付けられた質問とその回答とをチケット発券装置３へ送信する機能である。
【００２５】
（３：チケット発券装置の構成）
図５は、チケット発券装置３のハードウェア構成を示すブロック図である。チケット発券装置３は、制御部３１、通信部３２、タッチディスプレイ部３３、揮発性記憶部３５、不揮発性記憶部３６、チケット出力部３７、及びコード検出部３８を備えている。制御部３１、通信部３２、揮発性記憶部３５の構成はチケット予約受付装置１の同部と同様であるので再度の説明を省略する。
【００２６】
タッチディスプレイ部３３は、ＴＦＴ（thin film transistor）型のカラー液晶タッチディスプレイである。選択されるべき項目のボタンがこのタッチディスプレイ部３３へ表示されているときは、このボタンを指で直接触れることによってその選択が行なえるようになっている。
不揮発性記憶部３６は、例えばハードディスクであり、質問文雛形ｃとアンケート定型文ｄを格納している。この質問文雛形ｃとアンケート定型文ｄの内容は、不揮発性記憶部１６に格納されているものと同じである。
チケット出力部３７は、公知の印字デバイスであり、制御部３１から出力された印字データを所定のチケット用紙へ印字する。
コード検出部３８は、２次元コードを検出するための公知のコードリーダである。
【００２７】
（４：購入者端末の構成）
図６は、購入者端末５のハードウェア構成を示すブロック図である。購入者端末５は、いわゆる移動電話通信網へのデータ送出機能を備えた公知の携帯電話であり、制御部５１、通信部５２、ディスプレイ部５３、操作部５４、揮発性記憶部５５、不揮発性記憶部５６、集音部５７、音声出力部５８、及び音声変換部５９を備えている。
【００２８】
制御部５１は、例えばＣＰＵである。通信部５２は、アンテナ、無線部、送信機、受信機等を備え、基地局との無線通信を行う。操作部５４はキーパットである。ディスプレイ部５３は、所定の表示領域を有するＴＦＴディスプレイである。揮発性記憶部５５は、例えばＲＡＭである。不揮発性記憶部５６は、ＲＯＭ（read only memory）やＥＥＰＲＯＭ（electrically erasable and programmable ＲＯＭ）といった記憶素子である。集音部５７はマイクロホンである。音声出力部５８はスピーカである。音声変換部５９はアナログ音声信号とデジタル音声データの相互変換を行う公知のオーディオコーデックである。
【００２９】
（５：チケット予約システムの動作）
以下、本実施形態に係るチケット予約システムの動作を説明する。本実施形態の動作は、チケット確保処理とチケット発券処理とに分けられる。チケット確保処理は、購入者が自らの購入者端末５からチケット予約受付装置１へアクセスして所望のチケットを確保する処理である。チケット発券処理は、チケットを確保した購入者がチケット発券装置３からチケットの交付を受ける処理である。以下、フローチャートを参照しつつこれら各処理について説明する。
【００３０】
＜チケット確保処理＞
図７及び図８は、チケット確保処理を示すフローチャートである。
チケットの確保を希望する購入者は、自らの購入者端末５によりチケット予約受付装置１へアクセスする（Ｓ１１０）。チケット予約受付装置１の制御部１１は、メニュー画面の表示データを生成して購入者端末５へ送信する（Ｓ１２０）。この表示データを受信した購入者端末５の制御部５１は、メニュー画面をディスプレイ部５３に表示する（Ｓ１３０）。
【００３１】
図９にメニュー画面を示す。同画面の上段には、「ユーザＩＤを入力してからチケットを購入したいイベントを選択してください」をいったメッセージが表示され、その下には、ユーザＩＤ入力欄と、各イベントのイベント名、開催日時、開催場所のセットを列記したリストとが表示されている。更に画面最下段には「送信」と表示したボタンがある。購入者は、操作部５４を操作してユーザＩＤ入力欄へ自らのユーザＩＤを入力すると共に、所望のイベントにカーソル表示を行わせてこれを選択し、画面最下段の「送信」を選択する。
【００３２】
購入者端末５の制御部５１は、選択されたイベントのイベント識別子と、ユーザＩＤとして入力された購入者識別子とを含むチケット確保要求をチケット予約受付装置１へ送信する（Ｓ１４０）。
チケット予約受付装置１の制御部１１は、チケット確保要求に含まれるイベント識別子と購入者識別子とを揮発性記憶部１５へ記憶すると共に、イベント識別子と対応づけられたチケット確保者データベース１６ｂを参照し、イベントのチケットがまだ残っているか判断する（Ｓ１５０）。具体的には、このデータベースの各レコードを昇順に参照していき、「チケット確保者」のフィールドにデータが格納されていないレコードがあればチケットがまだ残っていると判断し、一方で、そのようなレコードがなければチケットはもう残っていないと判断する。
【００３３】
チケットが残っていないと判断した制御部１１は、チケットが完売している旨を購入者端末５へ送信する（Ｓ１６０）。購入者端末５の制御部５１は、「ご希望のイベントのチケットは既に完売いたしました。」といったメッセージをディスプレイ部５３に表示する（Ｓ１７０）。一方、チケットがまだ残っていると判断した制御部１１は、リピータ問合せ画面の表示データを生成して購入者端末５へ送信する（Ｓ１８０）。
【００３４】
購入者端末５の制御部５１は、リピータ問合せ画面をディスプレイ部５３へ表示する（Ｓ１９０）。このリピータ問合せ画面には、「本システムを利用して過去にチケットを購入したことがありますか？」というメッセージが表示され、その下には、「あります」と表示したボタン及び「ありません」と表示したボタンがある。購入者は、操作部５４の操作により「あります」にカーソル表示を行わせてこれを選択するか、若しくは「ありません」にカーソル表示を行わせてこれを選択する。
【００３５】
「ありません」が選択されたとき、購入者端末５の制御部５１は非リピータ識別子をチケット予約受付装置１へ送信する（Ｓ２００）。この非リピータ識別子は、はじめて本システムを利用する購入者であることを示す識別子である。一方、「あります」が選択されたとき、購入者端末５の制御部５１はリピータ識別子をチケット予約受付装置１へ送信する（Ｓ２１０）。このリピータ識別子は、過去に本システムを利用してチケットを購入した経験があることを示す識別子である。
【００３６】
チケット予約受付装置１の制御部１１は、購入者端末５から非リピータ識別子を受取ったとき、購入履歴データベース１６ａへ新たなレコードを設け、このレコードの「購入者」のフィールドへ、購入者端末５から受信した購入者識別子を格納する（Ｓ２２０）。続いて制御部１１は、初回アンケート画面の表示データを生成して購入者端末５へ送信する（Ｓ２３０）。この初回アンケート画面の表示データは、不揮発性記憶部１６から読み出したアンケート定型文ｄに基づいて生成される。購入者端末５の制御部５１は、初回アンケート画面をディスプレイ部に表示する（Ｓ２４０）。
【００３７】
図１０に初回アンケート画面を示す。同画面には、購入者の趣味や嗜好を問う質問とその回答となる選択肢群が２セット表示される。具体的には、「あなたはこのチケット予約システムをどのようにして知りましたか」という第１の質問と、「１友達から聞いた」、「２雑誌で見た」、「３検索エンジンで見つけた」、「４テレビのＣＭで知った」という選択肢群のセット、及び「あなたはどのジャンルの音楽をよく聞きますか」という第２の質問と、「１ジャズ」、「２ロック」、「３ポップス」、「４演歌」という選択肢群のセットが表示される。そして画面最下段には「送信」と表示したボタンがある。購入者は、操作部５４を操作して、第１及び第２の各質問と対応する選択肢群からそれぞれ１つを選択する。
【００３８】
購入者端末５の制御部５１は、選択された両選択肢番号をチケット予約受付装置１へ送信する（Ｓ２５０）。チケット予約受付装置１の制御部１１は、いまだチケット確保者が決定されていないチケットのレコードをチケット確保者データベース１６ｂから特定し、このレコードへ購入者識別子と選択肢番号とをセットで格納する（Ｓ２６０）。この処理を具体的に説明すると以下のようになる。まず、チケット確保要求に含まれていたイベント識別子と対応するチケット確保者データベース１６ｂを特定する。続いて、このチケット確保者データベース１６ｂの各レコードを昇順に参照し、「チケット確保者」のフィールドにデータが格納されていないレコードを特定する。そして、このレコードの「チケット確保者」のフィールドへ、購入者識別子を格納する。更に、この「正解」のフィールドへ、選択された両選択肢番号を格納する。
【００３９】
一方、チケット予約受付装置１の制御部１１は、購入者端末５からリピータ識別子を受取ったとき、この購入者の購入者識別子と対応付けられたレコードを購入履歴データベース１６ａから特定する（Ｓ２７０）。
制御部１１は、このレコードの「購入履歴」のフィールドから読み出したデータに基づいて本人確認質問画面の表示データを生成し、この表示データを購入者端末５へ送信する（Ｓ２８０）。本人確認質問画面の生成手順を具体的に説明すれば以下のようになる。まず、特定したレコードの「購入履歴」のフィールドに格納されている各購入履歴の中から無作為に選択した２つの購入履歴を揮発性記憶部１５へ読み出す。続いて、ダミーの選択肢となるべき虚偽の購入履歴を２つ生成する。そして、読み出された２つの購入履歴とダミーとなる２つの購入履歴とを１乃至４の各選択肢番号のそれぞれとランダムに対応付ける。更に、上記ランダムに対応付けられた選択肢番号と購入履歴のセットを質問文雛形の所定箇所に埋め込んで本人確認質問画面を生成する。
【００４０】
表示データを受信した購入者端末５の制御部５１は、本人確認質問画面をディスプレイ部５５に表示する（Ｓ２９０）。
図１１に本人確認質問画面を示す。同画面には「あなたがこれまで参加したことのあるイベントは以下の４つのうちどれですか。２つ選んでください」といった質問文が表示され、その下には、イベント名と会場名と開催日時のセットが１乃至４の各選択肢番号と対応付けて各々表示される。購入者は、操作部５４の操作により自らが参加したイベントを示す２つの選択肢番号にカーソル表示を行わせてこれを選択する。購入者端末５の制御部５１は、選択された２つの選択肢番号をチケット予約受付装置１へ送信する（Ｓ３００）。
【００４１】
チケット予約受付装置１の制御部１１は、購入者端末５から受信した両選択肢番号と、正解となる選択肢番号とが完全に一致するかどうか判断する（Ｓ３１０）。正解となる選択肢番号とは、真正な購入履歴を示す選択肢番号を意味する。そして、制御部１１は、いずれか一方又は両方が一致しないと判断したとき、チケットを確保できなかった旨を購入者端末５へ送信する（Ｓ３２０）。購入者端末５の制御部５１は、「ご本人様の認証ができず、チケットを確保できませんでした。」といったメッセージをディスプレイ部５３へ表示する（Ｓ３３０）。
【００４２】
ステップ３１０で選択肢番号が完全に一致すると判断したとき、制御部１１は、いまだチケット確保者が決定されていないチケットのレコードをチケット確保者データベース１６ｂから特定し、このレコードへ購入者識別子と質問と正解とをセットで格納する（Ｓ３４０）。この処理を具体的に説明すれば以下のようになる。まず、チケット確保要求に含まれていたイベント識別子と対応するチケット確保者データベース１６ｂを特定する。続いてこのチケット確保者データベース１６ｂのレコードを昇順に参照し、「チケット確保者」のフィールドに購入者識別子が格納されていないレコードを特定する。そして、このレコードの「チケット確保者」のフィールドへ、購入者識別子を格納する。更に、１乃至４の各選択肢番号と対応付けた各購入履歴（真正な２つの購入履歴と虚偽の２つの購入履歴）を同レコードの「質問」のフィールドへ格納する。最後に、正解となる２つの選択肢番号、つまり真正な２つの購入履歴と対応する選択肢番号を同レコードの「正解」のフィールドへ格納する。
【００４３】
制御部１１は、購入者端末５から受信した購入者識別子と対応付けられたレコードを購入履歴データベース１６ａから特定し、このレコードへ新たなチケット購入履歴を追加する（Ｓ３５０）。
制御部１１は、購入者識別子を格納したレコードの「チケット番号」のフィールドから読み出したチケット識別子を購入者端末５へ送信する（Ｓ３６０）。
【００４４】
購入者端末５の制御部５１は、チケット予約受付装置１から受信したチケット識別子を不揮発性記憶部５６へ格納する（Ｓ３７０）。続いて制御部５１は「チケットが無事確保できました。チケット番号は○○△△△△△です。イベント会場のチケット発券装置３までこの携帯電話を持参し、チケット番号を読み取らせてチケットの交付を受けてください」といったメッセージをディスプレイ部５３へ表示させる（Ｓ３８０）。
【００４５】
＜チケット発券処理＞
上述したチケット確保処理によりチケットを確保した購入者は、イベント開催日になると自らの購入者端末５をイベント会場へ持ち寄る。イベント会場入口付近には、チケット発券装置３が設置されており、このチケット発券装置３のメニュー画面に表示されている「発券サービス」のボタンを選択する操作が行われると、チケット発券処理が開始される。
【００４６】
図１２は、チケット発券処理を示すフローチャートである。
「発券サービス」のボタンが選択されると、チケット発券装置３の制御部３１は、チケット番号要求画面をタッチディスプレイ部３３へ表示する（Ｓ４００）。このチケット番号要求画面には、「チケット番号を読み込ませてください。」といったメッセージが表示される。購入者は、購入者端末５の不揮発性記憶部５６へ格納されているチケット識別子を表示させる操作を行う。この操作が行われると、チケット識別子を示す２次元コードがディスプレイ部５３に表示される。購入者は、この２次元コードをチケット発券装置３のコード検出部３８へ読み込ませる。
【００４７】
２次元コードを読み込んだチケット発券装置３の制御部３１は、この２次元コードから検出したチケット識別子を含む質問引渡要求をチケット予約受付装置１へ送信する（Ｓ４１０）。
質問引渡要求を受信したチケット予約受付装置１の制御部１１は、この質問引渡要求に含まれるチケット識別子と対応付けられたレコードをチケット確保者データベース１６ｂから特定する（Ｓ４２０）。続いて制御部１１は、この特定したレコードの「質問」のフィールドと「正解」のフィールドに格納されているデータを読みだしてチケット発券装置３へ送信する（Ｓ４３０）。
ここで、チケット確保処理のステップ２６０で説明したように、購入者端末５から非リピータ識別子を受信した場合、チケット予約受付装置１の制御部１１は、初回アンケート画面において選択された選択肢番号を「正解」のフィールドへ格納する一方で、「質問」フィールドにはデータを格納しない。従って、制御部１１は、特定したレコードの「質問」のフィールドにデータが格納されていないときは、「正解」のフィールドに格納されている選択肢番号のみを読み出してチケット発券装置３へ送信する。
【００４８】
チケット発券装置３の制御部３１は、チケット予約受付装置１から受信したデータを揮発性記憶部３５へ格納すると共に、本人確認質問画面或いは初回アンケート画面をタッチディスプレイ部３３へ表示する（Ｓ４４０）。この処理を具体的に説明すれば以下のようになる。まず、チケット予約受付装置１から受信したデータに購入履歴が含まれているときは、本人確認質問画面が生成される。この画面は、不揮発性記憶部３６から読み出した質問文雛形ｃの所定箇所へ各選択肢番号と対応付けた購入履歴を埋め込むことにより生成される。一方で、受信したデータに購入履歴が含まれていないときは、初回アンケート画面が生成される。この画面は、不揮発性記憶部３６から読み出したアンケート定型文ｄに基づいて生成される。
【００４９】
本人確認質問画面には、ステップ２９０でディスプレイ部５３に表示されたものと全く同じ質問文と選択肢とが表示される。同様に、初回アンケート画面には、ステップ２４０で表示されたものと全く同じ質問文と選択肢とが表示される。購入者は、操作部５４を操作して、本人確認質問画面或いは初回アンケート画面に表示された各選択肢のいずれか２つを選択する。
【００５０】
チケット発券装置３の制御部３１は、選択された各選択肢番号が、正解となる選択肢番号と完全に一致するか判断する（Ｓ４５０）。正解となる選択肢番号とは、チケット確保者データベース１６ｂの「正解」のフィールドから読み出されてチケット発券装置３へ送信された選択肢番号を意味する。
完全には一致しないと判断した制御部３１は、「ご本人様の確認ができませんので、チケットの交付ができません」といったメッセージをタッチディスプレイ部３３へ表示する（Ｓ４６０）。一方で、完全に一致すると判断した制御部３１は、クレジットカード番号要求画面をタッチディスプレイ部３３へ表示する（Ｓ４７０）。この画面は「ご本人様の確認ができました。お客様のクレジットカード番号を入力してください」といったメッセージを表示し、更にその下にクレジットカード番号の入力欄を表示する。購入者は、入力欄へ自らのクレジットカード番号を入力する。
【００５１】
クレジットカード番号が入力されると、チケット発券装置３の制御部３１は、所定の与信処理を行うと共に、「ただいまチケットを発券いたしますのでしばらくお待ちください」といったメッセージをタッチディスプレイ部３３へ表示し、チケット出力部３７からチケットを出力する（Ｓ４８０）。
購入者は、出力されたチケットを持ってイベント会場入口へ移動し、この入口に待機するスタッフへチケットを見せて入場する。
【００５２】
以上説明した本実施形態によると、チケット予約受付装置１は、チケットの取得を希望する購入者に対して、この購入者の過去のチケット購入履歴を問う質問文を提示し、この質問文に無事回答できたことを条件としてチケットを確保させる。このような購入者本人しかわかり得ない質問を用いて認証をおこなうことで、他人に成りすましてチケットを買占める悪意者を排除することができる。
また、チケット発券装置３は、各購入者がチケットを確保する際に提示した本人確認質問と同じ内容の質問をチケット発券時に再度提示し、この質問に無事回答できたことを条件としてチケットを発券する。このように、チケットの発券時にも購入者本人しかわかり得ない質問を用いて再度認証をおこなうことで、他人に成りすましてチケットを買占める悪意者をより確実に排除することができる。
更に、チケット予約受付装置１へアクセスしてチケットを確保した購入者は、イベントの開催日になるまでチケットの交付を受けることができないようになっているので、チケット購入申込を行った日からイベント開催日までの間にチケットが転売され、高値で流通するといった事態を回避できる。
（Ｂ：第２実施形態）
第１実施形態においては、購入者は自らの購入者端末５によりチケット予約受付装置１にアクセスしてチケット予約手続きを行ない、チケット予約受付装置１から受信したチケット識別子をチケット発券装置３に読み取らせると、チケットの交付を受けることができるという仕組みになっていた。
これに対し、本実施形態は、各購入者が自らに発行されたＩＣカードを用いてチケット予約手続きを行えるような構成をとる。
【００５３】
（１：チケット予約システムの構成）
図１３は、本実施形態におけるチケット予約システムの全体構成図である。本システムは、チケット予約受付装置１と、チケット発券装置３と、チケット予約専用端末７とをインターネット網により接続して構成される。チケット予約専用端末７は、コンビニエンスストア等の店舗に設置されることが望ましい。
【００５４】
また、本実施形態においては、本システムの登録サイトへアクセスして登録手続きを行った者の住所へ、購入者識別子を予め格納したＩＣカードが郵送されてくることになっている。
この者がチケット予約専用端末７の設置された店舗へ自らのＩＣカードを持参し、このＩＣカードに格納されている購入者識別子をチケット予約専用端末７に読み込ませると、購入者としてチケット予約手続きを行うことができるようになっている。
【００５５】
図１４は、本実施形態におけるチケット予約専用端末７のハードウェア構成を示すブロック図である。チケット予約専用端末７は、制御部７１、通信部７２、タッチディスプレイ部７３、揮発性記憶部７５、不揮発性記憶部７６、及びリーダライタ部７９を備えている。制御部７１、通信部７２、タッチディスプレイ部７３、揮発性記憶部７５、不揮発性記憶部７６の構成は、図５に示したチケット発券装置３の同部と同様であるので詳細な説明を省略する。
また、不揮発性記憶部７６には、質問文雛形ｃとアンケート定型文ｄとが格納されている。
リーダライタ部７９は、接触型のＩＣカード・リーダライタである。
【００５６】
図１５に、本実施形態におけるチケット発券装置３のハードウェア構成を示す。このチケット発券装置３は、コード検出部のかわりにリーダライタ部３９を備えているという点で、図５に示した同装置の構成と異なる。このリーダライタ部３９は、上述したリーダライタ部７９と同様のハードウェア構成となっている。
また、本実施形態におけるチケット予約受付装置１の構成は、図２を参照して説明したところと同様である。
【００５７】
（２：チケット予約システムの動作）
本実施形態に係るチケット予約システムの動作も、第１実施形態と同様に、チケット確保処理とチケット発券処理とに分けられる。以下、これら各処理についてそれぞれ説明する。
【００５８】
＜チケット確保処理＞
チケットの確保を希望する購入者は、自らのＩＣカードを所持してチケット予約専用端末７の設置された店舗を訪れる。そして、自らの所持するＩＣカードをこのチケット予約専用端末７のリーダライタ部７９へ挿入し、このＩＣカードに格納されている購入者識別子を読み込ませる。チケット予約専用端末７が購入者識別子を読み込んだことをトリガーとしてチケット確保処理が開始される。
【００５９】
ＩＣカードから購入者識別子を読み込むと、チケット予約専用端末７の制御部７１は、この購入者識別子を揮発性記憶部７５へ格納すると共に、メニュー画面をタッチディスプレイ部７３へ表示する。このメニュー画面には、各イベントのイベント名、開催日時、開催場所のセットを列記したリストが表示されている。購入者は、表示されたイベントの列のうちのいずれかを指で触れることによりこれを選択する。
【００６０】
チケット予約専用端末７の制御部７１は、選択されたイベントのイベント識別子と、ＩＣカードから読み出した購入者識別子とを含むチケット確保要求をチケット予約受付装置１へ送信する。
この後、図７及び図８のステップ１５０乃至ステップ３６０に示したような処理がチケット予約専用端末７とチケット予約受付装置１とにより実行される。
【００６１】
そして、ステップ３６０に示す処理によってチケット予約受付装置１がチケット予約専用端末７へチケット識別子を送信すると、チケット予約専用端末７のリーダライタ部７９がこのチケット識別子をＩＣカードへ格納する。
続いて制御部７１が、「チケットが確保できました。チケット番号は○○△△△△△です。開催日当日は、イベント会場のチケット発券装置までＩＣカードを持参し、チケット番号を読み取らせてチケットの交付を受けてください」といったメッセージをタッチディスプレイ部７３へ表示させる。
【００６２】
＜チケット発券処理＞
チケット予約手続きを行った購入者は、イベント開催日になると自らのＩＣカードをイベント会場へ持ち寄る。購入者は、イベント会場入口付近に設置されたチケット発券装置３のリーダライタ部３９へＩＣカードを挿入してチケット識別子を読み取らせる。そして、チケット購入発券装置３のリーダライタ部３９がＩＣカードからチケット識別子を読み込んだことをトリガーとしてチケット発券処理が開始される。
【００６３】
チケット識別子が読み込まれた後、チケット予約受付装置１とチケット発券装置３とによって実行される処理は、図１２に示したステップ４００乃至ステップ４８０と同様である。
【００６４】
以上説明した本実施形態によれば、購入者識別子を予め格納したＩＣカードが各購入者へ発行され、各購入者は自らのＩＣカードをチケット予約専用端末７を備えた店舗まで持参すればそこでチケット予約手続きを行うことができる。したがって、携帯電話を所持していない場合であっても、所望のチケットを確保することができる。
【００６５】
（Ｃ：変形例）
以上、本発明の実施形態について説明したが、本発明はかかる実施形態に限定されるものではなく、その技術思想の範囲内で様々な変形が可能である。なお、変形例としては、例えば、以下のようなものが考えられる。
【００６６】
（１：変形例１）
上述の実施形態において、チケット予約受付装置１は音楽関連イベントの興行者により運営されるものであり、同装置は主に音楽関連イベントのチケット確保要求のみを受けつけるというものであった。これに対し、運営主体を異にする複数のチケット予約受付装置１を設け、各購入者は、これら各チケット予約受付装置１を通じて多様なイベントのチケット予約手続きを行えるようにしてもよい。
【００６７】
このような変形例の好適なシステム構成を図１６に示す。この変形例では、音楽関連イベントのチケット予約手続きを受け付けるチケット予約受付装置１Ａと、プロスポーツ競技のチケット予約手続きを受け付けるチケット予約受付装置１Ｂと、演劇のチケット予約手続きを受け付けるチケット予約受付装置１Ｃとが個別に設置されている。
【００６８】
また、各チケット予約受付装置１は、購入履歴データベースを備えたデータベースサーバ９と接続される。これら各チケット予約受付装置１は、このデータベースサーバ９へアクセスして購入履歴データベースのデータを閲覧し或いはデータを書き込むことができるようになっている。
そして、この購入履歴データベースは、図３に示したところと同様に「購入者」と「購入履歴」のフィールドを有しており、「購入履歴」のフィールドには、音楽関連イベント、プロスポーツ競技、及び演劇のチケット購入履歴を格納する。つまり、本変形例においては、音楽関連イベント、プロスポーツ競技、演劇のそれぞれのチケット予約手続きに特化した複数のチケット予約受付装置１を設ける一方で、同一の購入者がそれぞれのチケット予約受付装置１を介して行ったチケット予約手続きの履歴はデータベースサーバ９により一括して管理されることになる。
【００６９】
この変形例によれば、例えば図１７に示すように、コンサートやライブだけでなくプロ野球や演劇といったイベントの購入履歴をも選択肢として織り交ぜた本人確認質問画面を生成することができる。これにより、他人に成りすましてチケットを購入するといった悪意者をより確実に排除することができる。
【００７０】
（２：変形例２）
上述の実施形態において、購入者端末５或いはチケット予約専用端末７に表示される本人確認質問画面は、真正な２つの購入履歴と、虚偽の２つの購入履歴とを１乃至４の選択肢番号と対応付けて表示すると共に、正解となる２つの購入履歴の選択肢番号の選択を促すメッセージを表示するというものであった。これに対し、本人確認質問画面を、本人を確認できる他の質問形式に従ったものとしてもよい。例えば、過去に参加した各イベントのイベント名と開催場所のセットをランダムに表示すると共に、これら各イベントをその開催日の古い順に並べ替えることを促すメッセージを表示するといった画面にしてもよい。
【００７１】
（３：変形例３）
上述の実施形態では、チケット予約システムをはじめて利用する購入者であっても、初回アンケートへ回答しさえすれば、購入履歴の蓄積のある購入者と全く同様にチケットを確保できるようになっていた。
これに対し、当該システムをはじめて利用する購入者よりも購入履歴の蓄積のある購入者を優遇するような仕組みを取り入れてもよい。
【００７２】
例えば、購入履歴の蓄積がある購入者からの購入者識別子を登録するチケット確保者データベースと、そうでない購入者の購入者識別子を登録するチケット確保者データベースとを設け、それぞれの購入者からのチケット確保要求を別々に管理するとよい。
このようにすれば、購入履歴の蓄積のある購入者へ提供するチケットの総数をそうでない購入者へ提供するチケットの総数より多くするといった運用も可能になり、購入履歴の蓄積がある購入者に優先的にチケットが割り当てられるようなシステムとすることができる。
【００７３】
（４：変形例４）
上記実施形態では、購入者の所有する購入者端末５やチケット予約専用端末７からのみチケット予約手続きを行えるようになっていた。これに対し、通常の電話機を利用してチケット予約手続きを行えるようにしてもよい。このような変形例としては、チケット予約受付装置１から本人確認質問文の音声データを出力するようにし、チケット予約受付装置１にダイヤルした購入者がこの音声データにしたがって手続きを行うことでチケットを確保するといったものが想定できる。また、一般的なパーソナルコンピュータ装置からチケット予約受付装置１へアクセスしてチケット予約手続きを行えるようにしてもよい。
【００７４】
（５：変形例５）
第１実施形態において、購入者端末５のディスプレイ部５３には、チケット予約受付装置１から受取ったチケット識別子が２次元コードとして表示され、チケット発券装置３は、この２次元コードを読み込むことでこの購入者が確保したチケットのチケット識別子を特定するようになっていた。これに対し、チケット発券装置３がIrDA（infrared data association）やブルートゥースといった無線技術を利用することで、購入者端末５に格納されたチケット識別子を認識できるようにしてもよい。
【００７５】
（６：変形例６）
上述の実施形態において、チケット予約受付装置１は、正解となる２つの選択肢と、ダミーとなる２つの選択肢とを織り交ぜて表示した本人確認質問画面を購入者端末５へ送信し、購入者により選択された選択肢と正解となる選択肢とが完全に一致することを条件として、チケット確保者データベース１６ｂへ購入者識別子を登録するようになっていた。また、チケット発券装置３も同様に、購入者により選択された選択肢と、正解となる選択肢とが完全に一致することを条件としてチケットを発券するようになっていた。
これに対し、本人確認質問画面から選択された選択肢と正解となる選択肢との一致度合いが所定の範囲にあれば、チケット購入履歴を有する購入者本人であるとみなされるようにしてもよい。
このような変形例としては、例えば次のようなものが想定できる。まず、購入者端末５から非リピータ識別子を受信したチケット予約受付装置１は、正解となる４つの選択肢とダミーとなる１つの選択肢とを織り交ぜた本人確認質問画面を購入者端末５へ送信する。そして、購入者端末５から返信された回答が、正解となるべき４つの選択肢と３つ以上一致するとき、この購入者の購入者識別子をチケット確保者データベース１６ｂへ格納する。また、チケット発券装置３も同様に、正解となる４つの選択肢とダミーとなる１つの選択肢とを織り交ぜた本人確認質問画面を表示し、購入者から入力された回答が正解となるべき４つの選択肢と３つ以上一致するとき、チケットを出力する。
このようなシステムとすることで、チケット予約受付装置１にチケット購入履歴を有する購入者本人であるにもかかわらず自らの購入履歴の一部を忘れてしまったためにチケットを取得できないといった不合理を回避できる。
【００７６】
（７：変形例７）
上述の実施形態において、チケット予約受付装置１の制御部１１により営まれる、質問文作成機能、登録機能、通知機能の各機能は、予め不揮発性記憶部１６に格納されているチケット予約受付プログラムを実行することで実現するものであった。これに対し、ＣＤ−ＲＯＭ（compact disk-read only memory）などのコンピュータ装置が読み取り可能な記憶媒体に上記チケット予約受付プログラムを記憶させておき、このような記憶媒体から一般的なコンピュータ装置に当該プログラムを読み取らせ記憶させることで、かかるコンピュータ装置に上述した３つの機能を付与するようにしてもよい。また、この種のプログラムを提供するサーバ装置をネットワーク上に設け、各コンピュータ装置の要求に応じてこのプログラムが配信されるようにしてもよい。
【図面の簡単な説明】
【００７７】
【図１】チケット予約システムの全体構成図である（第１実施形態）。
【図２】チケット予約受付装置のハードウェア構成図である。
【図３】購入履歴データベースのデータ構造図である。
【図４】チケット確保者データベースのデータ構造図である。
【図５】チケット発券装置のハードウェア構成図である。
【図６】購入者端末のハードウェア構成図である。
【図７】チケット確保処理を示すフローチャートである（前半部分）。
【図８】チケット確保処理を示すフローチャートである（後半部分）。
【図９】メニュー画面である。
【図１０】初回アンケート画面である。
【図１１】本人確認質問画面である。
【図１２】発券処理を示すフローチャートである。
【図１３】チケット予約システムの全体構成図である（第２実施形態）。
【図１４】チケット予約専用端末のハードウェア構成図である。
【図１５】チケット発券装置のハードウェア構成図である（第２実施形態）。
【図１６】チケット予約システムの全体構成図である（変形例）。
【図１７】本人確認質問画面である。
【符号の説明】
【００７８】
１：チケット予約受付装置、３：チケット発券装置、５：購入者端末、１１，３１，５１：制御部、１２，３２，５２：通信部、１３：表示部、１４：入力部、１５，３５，５５：揮発性記憶部、１６，３６，５６：不揮発性記憶部、３３：タッチディスプレイ部、３７：チケット出力部、３８：コード検出部、３９：リーダライタ部、５３：ディスプレイ部、５４：操作部、５７：集音部、５８：音声出力部、５９：音声変換部
【図１】
2005050092.tif 000003
【図２】
2005050092.tif 000004
【図３】
2005050092.tif 000005
【図４】
2005050092.tif 000006
【図５】
2005050092.tif 000007
【図６】
2005050092.tif 000008
【図７】
2005050092.tif 000009
【図８】
2005050092.tif 000010
【図９】
2005050092.tif 000011
【図１０】
2005050092.tif 000012
【図１１】
2005050092.tif 000013
【図１２】
2005050092.tif 000014
【図１３】
2005050092.tif 000015
【図１４】
2005050092.tif 000016
【図１５】
2005050092.tif 000017
【図１６】
2005050092.tif 000018
【図１７】
2005050092.tif 000019